(57)【要約】  【課題】高速信号伝送用のペアのコンタクトと低速信号伝送用のペアのコンタクトとを有しながらも、クロストークの影響を低減することができるコネクタを提供する。  【解決手段】複数のコンタクトは、それぞれ、相手側コネクタのコンタクトに接触する接触部と、接続対象物に接続される接続部と、接触部および接続部の間に配置され且つハウジングに埋め込まれる保持部とを有し、第１ペアＳＰ１のコンタクトＳ６、Ｓ７は、それぞれ、保持部に、第２ペアＳＰ２のコンタクトＳ２、Ｓ３、Ｓ１０、Ｓ１１から部分的に遠ざかる変形部を有する。【選択図】図２１
2020047425.tif 000002
【特許請求の範囲】
【請求項１】
それぞれ嵌合方向に延び、第１ペアのコンタクトおよび第２ペアのコンタクトを含み且つ嵌合方向に直交する配列方向に配列された複数のコンタクトと、
前記複数のコンタクトを保持するハウジングと
を備え、
前記複数のコンタクトは、それぞれ、前記嵌合方向の前端に配置され且つ相手側コネクタのコンタクトに接触する接触部と、前記嵌合方向の後端に配置され且つ接続対象物に接続される接続部と、前記接触部および前記接続部の間に配置され且つ前記ハウジングに埋め込まれる保持部とを有し、
前記第１ペアのコンタクトは、それぞれ、前記保持部に、前記第２ペアのコンタクトから部分的に遠ざかる変形部を有することを特徴とするコネクタ。
【請求項２】
前記変形部は、前記第１ペアのコンタクトが、前記嵌合方向および前記配列方向の双方に直交する方向に屈曲されたものである請求項１に記載のコネクタ。
【請求項３】
前記第１ペアのコンタクトは、低速信号伝送用のコンタクトであり、前記第２ペアのコンタクトは、高速信号伝送用のコンタクトである請求項１または２に記載のコネクタ。
【請求項４】
前記複数のコンタクトに対向するように配置された金属からなるミッドプレートを備え、
前記複数のコンタクトは、前記ミッドプレートを挟んで前記ミッドプレートの両面にそれぞれ対向するように配列された第１コンタクト列および第２コンタクト列を有する請求項１〜３のいずれか一項に記載のコネクタ。
【請求項５】
前記第１コンタクト列および前記第２コンタクト列は、それぞれ、前記第１ペアのコンタクトおよび前記第２ペアのコンタクトを含む請求項４に記載のコネクタ。
【請求項６】
前記第１コンタクト列の前記第１ペアのコンタクトの前記変形部および前記第２コンタクト列の前記第１ペアのコンタクトの前記変形部は、それぞれ、前記ミッドプレートから遠ざかるように屈曲している請求項５に記載のコネクタ。
【請求項７】
前記ミッドプレートは、それぞれ前記複数のコンタクトに対向する平板状のフロント部および平板状のリア部と、前記フロント部と前記リア部との間に間隙部が形成されるように前記フロント部および前記リア部を互いに連結すると共に前記ハウジング内に埋没されて前記ハウジングとの界面に沿った水の浸入を遮断するためのミッドプレート側防水形状部が形成された連結部とを有する請求項４〜６のいずれか一項に記載のコネクタ。
【請求項８】
前記ミッドプレート側防水形状部は、前記連結部の周囲を囲って閉じるように前記連結部の表面に形成された少なくとも１つの溝または突起を有する請求項７に記載のコネクタ。
【請求項９】
前記複数のコンタクトは、それぞれ、前記保持部に形成され且つ前記ハウジング内に埋没されて前記ハウジングとの界面に沿った水の浸入を遮断するためのコンタクト側防水形状部を有する請求項７または８に記載のコネクタ。
【請求項１０】
前記コンタクト側防水形状部は、前記コンタクトの周囲を囲って閉じるように前記コンタクトの表面に形成された少なくとも１つの溝または突起を有する請求項９に記載のコネクタ。
【請求項１１】
前記複数のコンタクトの前記コンタクト側防水形状部は、前記嵌合方向において、前記ミッドプレートの前記間隙部に対応する位置に配置されている請求項９または１０に記載のコネクタ。
【請求項１２】
前記ハウジングは、前記嵌合方向の前方に向けて開口する相手側コネクタ収容部を有し、
前記複数のコンタクトの前記接触部は、少なくとも前記相手側コネクタ収容部内に露出している請求項７〜１１のいずれか一項に記載のコネクタ。
【請求項１３】
前記ハウジングは、
前記複数のコンタクトの前記接触部が露出するように前記複数のコンタクトの前記保持部の前部および前記ミッドプレートの前記フロント部を覆う第１インシュレータと、
前記複数のコンタクトの前記接続部が露出するように前記複数のコンタクトの前記保持部の後部と前記ミッドプレートの前記連結部および前記リア部と前記第１インシュレータの後部を覆う第２インシュレータと
を有し、
前記第２インシュレータにより前記相手側コネクタ収容部が形成され、前記第１インシュレータにより前記相手側コネクタ収容部の底部が塞がれている請求項１２に記載のコネクタ。
【請求項１４】
前記ハウジングの後部に取り付けられ且つ前記複数のコンタクトの前記接続部を覆う金属シェルをさらに備えた請求項１２または１３に記載のコネクタ。
【請求項１５】
前記ハウジングの前記嵌合方向における前端部に、前記相手側コネクタ収容部の前端部を囲み且つ継ぎ目のない防水部材をさらに備えた請求項１２〜１４のいずれか一項に記載のコネクタ。
【請求項１６】
前記相手側コネクタ収容部の底部に配置され且つ前記相手側コネクタとの嵌合時に前記相手側コネクタ収容部に収容される前記相手側コネクタが突き当たるインナープレートをさらに備えた請求項１２〜１５のいずれか一項に記載のコネクタ。
【請求項１７】
前記ハウジングは、前記複数のコンタクトの前記配列方向の両側に突出する一対の固定部を有し、
前記一対の固定部を介して前記接続対象物に固定される請求項１〜１６のいずれか一項に記載のコネクタ。
【請求項１８】
前記ミッドプレートは、前記複数のコンタクトの前記配列方向の両側に突出し且つ前記ハウジングの前記一対の固定部により覆われる一対の突状部を有する請求項１７に記載のコネクタ。
【発明の詳細な説明】
【技術分野】
【０００１】
この発明は、コネクタに係り、特に、高速信号伝送用のペアのコンタクトと低速信号伝送用のペアのコンタクトとを有するコネクタに関する。
【背景技術】
【０００２】
データ伝送方式として、一対の信号線に互いに逆位相の信号を出力し、信号線間の電位差によりデータを伝送する差動伝送方式が知られている。この差動伝送方式は、高速性および安定性に優れ、ノイズに強く、消費電力が低い等の特長を有しており、種々のデータ伝送分野において採用されている。
このような差動伝送方式に適したコネクタが、例えば特許文献１に開示されている。このコネクタは、図２３に示されるように、絶縁性材料からなるハウジング１と、ハウジング１に保持されている複数の導電性のコンタクト２と、ハウジング１の外周部を覆う金属シェル３とを備えている。
【０００３】
複数のコンタクト２の構成を図２４に示す。グランドに接続されるグランドコンタクトＧと、差動信号を伝送するためのペアのシグナルコンタクトＳとが、交互に配列されている。グランドコンタクトＧおよびシグナルコンタクトＳは、それぞれ、一端側に配置され且つ図示しない相手側コネクタのコンタクトに接触する接触部４と、他端側に配置され且つ図示しない回路基板に実装される実装部５と、接触部４および実装部５の間に配置され且つハウジング１に埋め込まれて固定される固定部６とを有している。
【０００４】
それぞれのグランドコンタクトＧの固定部６には、内側に突出するように折れ曲がった折れ曲がり部７が形成されている。この折れ曲がり部７の存在により、グランドコンタクトＧは、隣接するペアのシグナルコンタクトＳから部分的に遠ざけられており、このため、所望の伝送特性を保ちつつ、複数のコンタクト２の配列ピッチを狭めてコネクタの小型化を図ることができる。
【先行技術文献】
【特許文献】
【０００５】
【特許文献１】特許第５９７０３２９号明細書
【発明の概要】
【発明が解決しようとする課題】
【０００６】
しかしながら、例えば、いわゆるＵＳＢ（ユニバーサル・シリアル・バス）Ｔｙｐｅ-Ｃコネクタのように、ＵＳＢ２．０規格に従う比較的低速の低速信号伝送用のペアのコンタクトと共にＵＳＢ３．１規格に従う高速信号伝送用のペアのコンタクトを具備するコネクタにおいては、特許文献１のように、これらのペアのコンタクトの間に折れ曲がり部７を有するグランドコンタクトＧを配置しても、低速信号伝送用のペアのコンタクトにおいて発生したノイズが高速信号伝送用のペアのコンタクトに影響をもたらし、クロストークが発生して伝送特性が劣化するという問題がある。
【０００７】
この発明は、このような従来の問題点を解消するためになされたもので、高速信号伝送用のペアのコンタクトと低速信号伝送用のペアのコンタクトとを有しながらも、クロストークの影響を低減することができるコネクタを提供することを目的とする。
【課題を解決するための手段】
【０００８】
この発明に係るコネクタは、それぞれ嵌合方向に延び、第１ペアのコンタクトおよび第２ペアのコンタクトを含み且つ嵌合方向に直交する配列方向に配列された複数のコンタクトと、複数のコンタクトを保持するハウジングとを備え、複数のコンタクトは、それぞれ、嵌合方向の前端に配置され且つ相手側コネクタのコンタクトに接触する接触部と、嵌合方向の後端に配置され且つ接続対象物に接続される接続部と、接触部および接続部の間に配置され且つハウジングに埋め込まれる保持部とを有し、第１ペアのコンタクトは、それぞれ、保持部に、第２ペアのコンタクトから部分的に遠ざかる変形部を有するものである。
【０００９】
変形部は、第１ペアのコンタクトが、嵌合方向および配列方向の双方に直交する方向に屈曲されたものであることが好ましい。
第１ペアのコンタクトは、低速信号伝送用のコンタクトであり、前記第２ペアのコンタクトは、高速信号伝送用のコンタクトであることが好ましい。
【００１０】
また、複数のコンタクトに対向するように配置された金属からなるミッドプレートを備え、複数のコンタクトは、ミッドプレートを挟んでミッドプレートの両面にそれぞれ対向するように配列された第１コンタクト列および第２コンタクト列を有することができる。
第１コンタクト列および第２コンタクト列は、それぞれ、第１ペアのコンタクトおよび第２ペアのコンタクトを含むことが好ましい。
第１コンタクト列の第１ペアのコンタクトの変形部および第２コンタクト列の第１ペアのコンタクトの変形部は、それぞれ、ミッドプレートから遠ざかるように屈曲していることが好ましい。
【００１１】
ミッドプレートは、それぞれ複数のコンタクトに対向する平板状のフロント部および平板状のリア部と、フロント部とリア部との間に間隙部が形成されるようにフロント部およびリア部を互いに連結すると共にハウジング内に埋没されてハウジングとの界面に沿った水の浸入を遮断するためのミッドプレート側防水形状部が形成された連結部とを有することが好ましい。
ミッドプレート側防水形状部は、連結部の周囲を囲って閉じるように連結部の表面に形成された少なくとも１つの溝または突起を有することが好ましい。
【００１２】
複数のコンタクトは、それぞれ、保持部に形成され且つハウジング内に埋没されてハウジングとの界面に沿った水の浸入を遮断するためのコンタクト側防水形状部を有することが好ましい。
コンタクト側防水形状部は、コンタクトの周囲を囲って閉じるようにコンタクトの表面に形成された少なくとも１つの溝または突起を有することが好ましい。
複数のコンタクトのコンタクト側防水形状部は、嵌合方向において、ミッドプレートの間隙部に対応する位置に配置されていることが好ましい。
【００１３】
ハウジングは、嵌合方向の前方に向けて開口する相手側コネクタ収容部を有し、複数のコンタクトの接触部は、少なくとも相手側コネクタ収容部内に露出していることが好ましい。
ハウジングは、複数のコンタクトの接触部が露出するように複数のコンタクトの保持部の前部およびミッドプレートのフロント部を覆う第１インシュレータと、複数のコンタクトの接続部が露出するように複数のコンタクトの保持部の後部とミッドプレートの連結部およびリア部と第１インシュレータの後部を覆う第２インシュレータとを有し、第２インシュレータにより相手側コネクタ収容部が形成され、第１インシュレータにより相手側コネクタ収容部の底部が塞がれているように構成することができる。
【００１４】
ハウジングの後部に取り付けられ且つ複数のコンタクトの接続部を覆う金属シェルをさらに備えることができる。
ハウジングの嵌合方向における前端部に、相手側コネクタ収容部の前端部を囲み且つ継ぎ目のない防水部材をさらに備えることもできる。
相手側コネクタ収容部の底部に配置され且つ相手側コネクタとの嵌合時に相手側コネクタ収容部に収容される相手側コネクタが突き当たるインナープレートをさらに備えていてもよい。
【００１５】
ハウジングは、複数のコンタクトの配列方向の両側に突出する一対の固定部を有し、一対の固定部を介して接続対象物に固定されるように構成することができる。
ミッドプレートは、複数のコンタクトの配列方向の両側に突出し且つハウジングの一対の固定部により覆われる一対の突状部を有していてもよい。
【発明の効果】
【００１６】
この発明によれば、複数のコンタクトが第１ペアのコンタクトおよび第２ペアのコンタクトを含み、第１ペアのコンタクトは、それぞれ、ハウジングに埋め込まれる保持部に、第２ペアのコンタクトから部分的に遠ざかる変形部を有するので、高速信号伝送用のペアのコンタクトと低速信号伝送用のペアのコンタクトとを有しながらも、クロストークの影響を低減することが可能となる。
【図面の簡単な説明】
【００１７】
【図１】この発明の実施の形態に係るコネクタを斜め上方から見た斜視図である。
【図２】実施の形態に係るコネクタを斜め下方から見た斜視図である。
【図３】実施の形態に係るコネクタの正面図である。
【図４】実施の形態に係るコネクタの分解図である。
【図５】図３のＡ−Ａ線断面図である。
【図６】実施の形態に係るコネクタに用いられた複数の第１コンタクトを示す斜視図である。
【図７】高速信号伝送用の第１コンタクトを示す側面図である。
【図８】低速信号伝送用の第１コンタクトを示す側面図である。
【図９】実施の形態に係るコネクタに用いられた複数の第２コンタクトを示す斜視図である。
【図１０】高速信号伝送用の第２コンタクトを示す側面図である。
【図１１】低速信号伝送用の第２コンタクトを示す側面図である。
【図１２】複数の第１コンタクトを有する第１モジュールを示す斜視図である。
【図１３】複数の第２コンタクトを有する第２モジュールを示す斜視図である。
【図１４】実施の形態に係るコネクタに用いられたミッドプレートを示す斜視図である。
【図１５】ミッドプレートを第１モジュールと第２モジュールとで挟んだ状態を示す斜視図である。
【図１６】第１インシュレータを成型した状態を示す斜視図である。
【図１７】第１インシュレータにインナープレートを嵌め込んだ状態を示す斜視図である。
【図１８】第２インシュレータを成型した状態を示す斜視図である。
【図１９】基板に実装された実施の形態に係るコネクタを示す斜視図である。
【図２０】図３のＢ−Ｂ線断面図である。
【図２１】低速信号伝送用の第１コンタクトの変形部を通り且つ嵌合軸に垂直な平面による複数の第１コンタクトの切断端面図である。
【図２２】低速信号伝送用の第２コンタクトの変形部を通り且つ嵌合軸に垂直な平面による複数の第２コンタクトの切断端面図である。
【図２３】従来のコネクタを示す斜視図である。
【図２４】従来のコネクタに用いられた複数のコンタクトを示す斜視図である。
【発明を実施するための形態】
【００１８】
以下、この発明の実施の形態を添付図面に基づいて説明する。
図１〜図３に、実施の形態に係るコネクタ１１を示す。このコネクタ１１は、携帯機器および情報機器等の電子機器内における基板に固定され、嵌合軸Ｃに沿って図示しない相手側コネクタに嵌合されるレセプタクルコネクタである。
コネクタ１１は、ハウジング１２と、それぞれ嵌合軸Ｃ方向に延び且つ嵌合軸Ｃに対して直交する方向に配列された複数の第１コンタクト１３と、それぞれ嵌合軸Ｃ方向に延び且つ複数の第１コンタクト１３と平行に配列された複数の第２コンタクト１４を有している。複数の第１コンタクト１３および複数の第２コンタクト１４は、それぞれ、金属等の導電体からなり、ハウジング１２に保持されている。
【００１９】
ハウジング１２は、絶縁性樹脂から形成されており、複数の第１コンタクト１３および複数の第２コンタクト１４の外周を覆うように嵌合軸Ｃに沿って延びる扁平な筒形状の筒状部１２Ａと、筒状部１２Ａの両側部から突出する一対の固定部１２Ｂを有している。
筒状部１２Ａの内部には、図示しない相手側コネクタが挿入される相手側コネクタ収容部１２Ｃが形成されている。相手側コネクタ収容部１２Ｃには、ハウジング１２の一部である舌状部１５が配置されており、舌状部１５に複数の第１コンタクト１３の嵌合軸Ｃ方向の前端部および複数の第２コンタクト１４の嵌合軸Ｃ方向の前端部が保持されると共に、金属からなるミッドプレート１６が舌状部１５に埋め込まれて複数の第１コンタクト１３と複数の第２コンタクト１４の間に配置されている。
【００２０】
ここで、便宜上、嵌合軸Ｃに沿ってコネクタ１１の前部から後部に向かう方向を＋Ｙ方向、複数の第１コンタクト１３および複数の第２コンタクト１４の配列方向をＸ方向、ＸＹ面に垂直で且つ第２コンタクト１４側から第１コンタクト１３側へ向かう方向を＋Ｚ方向と呼ぶこととする。
【００２１】
筒状部１２Ａの＋Ｙ方向側には、複数の第１コンタクト１３および複数の第２コンタクト１４の＋Ｙ方向端部を覆う金属シェル１７が配置されている。
また、筒状部１２Ａの−Ｙ方向端部に、相手側コネクタ収容部１２Ｃの−Ｙ方向端部を囲み且つ継ぎ目のない、ゴム等の弾性体からなる防水部材１８が配置されている。
舌状部１５は、筒状部１２Ａよりも−Ｙ方向側に突出しており、複数の第１コンタクト１３は、舌状部１５の＋Ｚ方向側の表面上に配列され、複数の第２コンタクト１４は、舌状部１５の−Ｚ方向側の表面上に配列されている。
【００２２】
コネクタ１１の分解図を図４に示す。コネクタ１１は、複数の第１コンタクト１３と、複数の第２コンタクト１４と、ミッドプレート１６と、ハウジング１２の舌状部１５を形成する第１インシュレータ１９と、ハウジング１２の筒状部１２Ａおよび一対の固定部１２Ｂを形成する第２インシュレータ２０と、金属シェル１７と、防水部材１８とを備えている。
コネクタ１１は、さらに、複数の第１コンタクト１３をモジュール化するためのインシュレータ２１および２２と、複数の第２コンタクト１４をモジュール化するためのインシュレータ２３および２４と、第１インシュレータ１９に嵌め込まれるインナープレート２５を有している。
第１インシュレータ１９、第２インシュレータ２０およびインシュレータ２１〜２４により、ハウジング１２が構成されている。
【００２３】
コネクタ１１の側面断面図を図５に示す。なお、図５において、Ｙ方向に延びる一点鎖線Ｌよりも＋Ｚ方向側の部分は、第１コンタクト１３を通るＹＺ面により切断されたコネクタ１１の断面を示し、一点鎖線Ｌよりも−Ｚ方向側の部分は、第２コンタクト１４を通るＹＺ面により切断されたコネクタ１１の断面を示している。
複数の第１コンタクト１３がインシュレータ２１および２２によりモジュール化された第１モジュール２６と、複数の第２コンタクト１４がインシュレータ２３および２４によりモジュール化された第２モジュール２７とによりミッドプレート１６が挟まれた状態で第１インシュレータ１９が成型されている。第１インシュレータ１９は、舌状部１５と、舌状部１５の＋Ｙ方向端部においてＸＺ面に沿って延びるフランジ部２８を有している。
【００２４】
第１インシュレータ１９のフランジ部２８にインナープレート２５が嵌め込まれている。インナープレート２５は、嵌合時に相手側コネクタ収容部に挿入される図示しない相手側コネクタが突き当たるもので、金属または樹脂から形成されており、相手側コネクタ収容部１２Ｃに面するフランジ部２８の−Ｙ方向側の面上に配置されている。
第１インシュレータ１９のフランジ部２８とインナープレート２５とを覆うように、第２インシュレータ２０が成型されている。第２インシュレータ２０は、筒状部１２Ａと、筒状部１２Ａの＋Ｙ方向端部を閉じる底板部２９と、底板部２９から＋Ｙ方向側に突出し且つＸＹ面に沿って延びる平板部３０を有している。
【００２５】
複数の第１コンタクト１３および複数の第２コンタクト１４とミッドプレート１６とが、第２インシュレータ２０の底板部２９および平板部３０をＹ方向に貫通している。
第２インシュレータ２０の＋Ｙ方向側には、第１モジュール２６および第２モジュール２７の＋Ｙ方向端部を覆うように金属シェル１７が配置され、金属シェル１７の脚部１７Ａが−Ｚ方向に突出している。
【００２６】
図６に示されるように、第１コンタクト１３は、Ｙ方向に伸張する板状部材からなり、嵌合方向の前端である第１コンタクト１３の−Ｙ方向端部には、図示しない相手側コネクタのコンタクトに接触する接触部１３Ａが配置され、嵌合方向の後端である第１コンタクト１３の＋Ｙ方向端部には、基板等の接続対象物に接続される接続部１３Ｂが配置されている。接触部１３Ａと接続部１３Ｂとの間には、ハウジング１２に埋め込まれることによりハウジング１２に保持される保持部１３Ｃが配置されている。
【００２７】
保持部１３Ｃの所定箇所に、コンタクト側防水形状部１３Ｄが形成されている。コンタクト側防水形状部１３Ｄは、第２インシュレータ２０に埋没されて第２インシュレータ２０との界面に沿った水の浸入を遮断するためのもので、第１コンタクト１３の周囲を囲って閉じるように第１コンタクト１３の表面に形成された少なくとも１つの溝または突起を有している。
【００２８】
複数の第１コンタクト１３は、それぞれＹ方向に延び且つ−Ｘ方向から＋Ｘ方向に配列された１２本のコンタクトＳ１〜Ｓ１２を有している。これらのコンタクトのうち、Ｘ方向の中央部に位置する２本のコンタクトＳ６およびＳ７は、低速信号伝送用の第１ペアＳＰ１のコンタクトを構成し、Ｘ方向において最も外側に位置するコンタクトＳ１およびＳ１２はグランド用コンタクトであり、コンタクトＳ１に隣接する２本のコンタクトＳ２およびＳ３と、コンタクトＳ１２に隣接する２本のコンタクトＳ１１およびＳ１０は、それぞれ、高速信号伝送用の第２ペアＳＰ２のコンタクトを構成している。残りのコンタクトＳ４、Ｓ５、Ｓ８およびＳ９は、電源用コンタクト、あるいは、コネクタ１１の挿抜検出等に用いられるコンタクトである。
【００２９】
１２本のコンタクトＳ１〜Ｓ１２の接触部１３Ａは、互いに同一のＸＹ面上に位置している。また、１２本のコンタクトＳ１〜Ｓ１２の接続部１３Ｂも、互いに同一のＸＹ面上に位置している。さらに、１２本のコンタクトＳ１〜Ｓ１２のコンタクト側防水形状部１３Ｄは、互いに同一のＹ方向位置に位置している。
【００３０】
一方の第２ペアＳＰ２に含まれる高速信号伝送用のコンタクトＳ２の側面図を図７に示す。コンタクトＳ２の保持部１３Ｃには、コンタクト側防水形状部１３Ｄの−Ｙ方向側に段差１３Ｅを介して、Ｙ方向に延び且つコンタクト側防水形状部１３Ｄよりも＋Ｚ方向側に位置する平坦部１３Ｆが形成されている。この第２ペアＳＰ２に含まれるもう１つの高速信号伝送用のコンタクトＳ３と、他方の第２ペアＳＰ２に含まれる2本の高速信号伝送用のコンタクトＳ１０およびＳ１１は、図７に示されるコンタクトＳ２と同一の形状を有している。
また、信号伝送用ではないコンタクトＳ１、Ｓ４、Ｓ５、Ｓ８、Ｓ９およびＳ１２も、高速信号伝送用のコンタクトＳ２と同様の形状を有している。
【００３１】
第１ペアＳＰ１に含まれる低速信号伝送用のコンタクトＳ６の側面図を図８に示す。コンタクトＳ６の保持部１３Ｃには、コンタクト側防水形状部１３Ｄの−Ｙ方向側に、コネクタ１１の嵌合方向であるＹ方向および複数の第１コンタクト１３の配列方向であるＸ方向の双方に直交する＋Ｚ方向に向かって屈曲した変形部１３Ｇが形成されている。この変形部１３Ｇは、図７に示されるコンタクトＳ２の平坦部１３Ｆと同じＹ方向位置にあり、コンタクトＳ２の平坦部１３Ｆよりも＋Ｚ方向に高低差ΔＨ１だけ高く形成されている。
第１ペアＳＰ１に含まれるもう１つの低速信号伝送用のコンタクトＳ７は、図８に示されるコンタクトＳ６と同一の形状を有しており、保持部１３Ｃに変形部１３Ｇが形成されている。
低速信号伝送用のコンタクトＳ６およびＳ７の変形部１３Ｇは、高速信号伝送用のコンタクトＳ２、Ｓ３、Ｓ１０およびＳ１１から部分的に遠ざかるためのものである。
【００３２】
同様に、図９に示されるように、第２コンタクト１４は、Ｙ方向に伸張する板状部材からなり、嵌合方向の前端である第２コンタクト１４の−Ｙ方向端部には、図示しない相手側コネクタのコンタクトに接触する接触部１４Ａが配置され、嵌合方向の後端である第２コンタクト１４の＋Ｙ方向端部には、基板等の接続対象物に接続される接続部１４Ｂが配置されている。接触部１４Ａと接続部１４Ｂとの間には、ハウジング１２に埋め込まれることによりハウジング１２に保持される保持部１４Ｃが配置されている。
【００３３】
保持部１４Ｃの所定箇所に、コンタクト側防水形状部１４Ｄが形成されている。コンタクト側防水形状部１４Ｄは、第２インシュレータ２０に埋没されて第２インシュレータ２０との界面に沿った水の浸入を遮断するためのもので、第２コンタクト１４の周囲を囲って閉じるように第２コンタクト１４の表面に形成された少なくとも１つの溝または突起を有している。
【００３４】
複数の第２コンタクト１４は、それぞれＹ方向に延び且つ−Ｘ方向から＋Ｘ方向に配列された１２本のコンタクトＴ１〜Ｔ１２を有している。これらのコンタクトのうち、Ｘ方向の中央部に位置する２本のコンタクトＴ６およびＴ７は、低速信号伝送用の第１ペアＴＰ１のコンタクトを構成し、Ｘ方向において最も外側に位置するコンタクトＴ１およびＴ１２はグランド用コンタクトであり、コンタクトＴ１に隣接する２本のコンタクトＴ２およびＴ３と、コンタクトＴ１２に隣接する２本のコンタクトＴ１１およびＴ１０は、それぞれ、高速信号伝送用の第２ペアＴＰ２のコンタクトを構成している。残りのコンタクトＴ４、Ｔ５、Ｔ８およびＴ９は、電源用コンタクト、あるいは、コネクタ１１の挿抜検出等に用いられるコンタクトである。
【００３５】
１２本のコンタクトＴ１〜Ｔ１２の接触部１４Ａは、互いに同一のＸＹ面上に位置している。また、１２本のコンタクトＴ１〜Ｔ１２の接続部１４Ｂも、互いに同一のＸＹ面上に位置している。さらに、１２本のコンタクトＴ１〜Ｔ１２のコンタクト側防水形状部１４Ｄは、互いに同一のＹ方向位置に位置している。
【００３６】
一方の第２ペアＴＰ２に含まれる高速信号伝送用のコンタクトＴ２の側面図を図１０に示す。コンタクトＴ２の保持部１４Ｃには、コンタクト側防水形状部１４Ｄの−Ｙ方向側に段差１４Ｅを介して、Ｙ方向に延び且つコンタクト側防水形状部１４Ｄよりも＋Ｚ方向側に位置する平坦部１４Ｆが形成されている。この第２ペアＴＰ２に含まれるもう１つの高速信号伝送用のコンタクトＴ３と、他方の第２ペアＴＰ２に含まれる2本の高速信号伝送用のコンタクトＴ１０およびＴ１１は、図１０に示されるコンタクトＴ２と同一の形状を有している。
また、信号伝送用ではないコンタクトＴ１、Ｔ４、Ｔ５、Ｔ８、Ｔ９およびＴ１２も、高速信号伝送用のコンタクトＴ２と同様の形状を有している。
【００３７】
第１ペアＴＰ１に含まれる低速信号伝送用のコンタクトＴ６の側面図を図１１に示す。コンタクトＴ６の保持部１４Ｃには、コンタクト側防水形状部１４Ｄの−Ｙ方向側に、コネクタ１１の嵌合方向であるＹ方向および複数の第２コンタクト１４の配列方向であるＸ方向の双方に直交する−Ｚ方向に向かって屈曲した変形部１４Ｇが形成されている。この変形部１４Ｇは、図１０に示されるコンタクトＴ２の平坦部１４Ｆと同じＹ方向位置にあり、コンタクトＴ２の平坦部１４Ｆよりも−Ｚ方向に高低差ΔＨ２だけ低く形成されている。
第１ペアＴＰ１に含まれるもう１つの低速信号伝送用のコンタクトＴ７は、図１１に示されるコンタクトＴ６と同一の形状を有しており、保持部１４Ｃに変形部１４Ｇが形成されている。
低速信号伝送用のコンタクトＴ６およびＴ７の変形部１４Ｇは、高速信号伝送用のコンタクトＴ２、Ｔ３、Ｔ１０およびＴ１１から部分的に遠ざかるためのものである。
なお、上述した図５は、高速信号伝送用のコンタクトＳ２を通るＹＺ面および高速信号伝送用のコンタクトＴ２を通るＹＺ面により切断されたコネクタ１１の断面を示している。
【００３８】
次に、実施の形態に係るコネクタ１１を製造する方法について説明する。
まず、図１２に示されるように、それぞれの接触部１３Ａを露出させた状態で複数の第１コンタクト１３の保持部１３Ｃの前部、すなわち、保持部１３Ｃの−Ｙ方向側部分を囲むインシュレータ２１を成型すると共に、それぞれの接続部１３Ｂを露出させた状態で複数の第１コンタクト１３の保持部１３Ｃの後部、すなわち、保持部１３Ｃの＋Ｙ方向側部分を囲むインシュレータ２２を成型することにより、複数の第１コンタクト１３がモジュール化された第１モジュール２６を形成する。
同様に、図１３に示されるように、それぞれの接触部１４Ａを露出させた状態で複数の第２コンタクト１４の保持部１４Ｃの前部、すなわち、保持部１４Ｃの−Ｙ方向側部分を囲むインシュレータ２３を成型すると共に、それぞれの接続部１４Ｂを露出させた状態で複数の第２コンタクト１４の保持部１４Ｃの後部、すなわち、保持部１４Ｃの＋Ｙ方向側部分を囲むインシュレータ２４を成型することにより、複数の第２コンタクト１４がモジュール化された第２モジュール２７を形成する。
【００３９】
これらの第１モジュール２６および第２モジュール２７に挟まれるミッドプレート１６は、図１４に示されるように、平板状のフロント部１６Ａと、フロント部１６Ａから＋Ｙ方向側に離れて配置された平板状のリア部１６Ｂと、フロント部１６ＡのＸ方向の両端部とリア部１６ＢのＸ方向の両端部とを互いに連結する一対の連結部１６Ｃとを有している。
【００４０】
フロント部１６Ａとリア部１６Ｂの間には、間隙部１６Ｄが形成されている。リア部１６ＢのＸ方向の両端部には、それぞれ、間隙部１６Ｄ内をフロント部１６Ａに向けて−Ｙ方向に突出する一対の突出部１６Ｅが形成され、フロント部１６ＡのＸ方向の両端部には、それぞれ、間隙部１６Ｄ内をリア部１６Ｂに向けて＋Ｙ方向に突出する一対の突出部１６Ｆが形成されている。このため、間隙部１６Ｄは、Ｘ方向の両端部近傍におけるＹ方向の長さＧ１が、Ｘ方向の中央部におけるＹ方向の長さＧ２よりも短くなるように形成されている。
【００４１】
一対の連結部１６Ｃには、それぞれ、ミッドプレート側防水形状部１６Ｇが形成されている。ミッドプレート側防水形状部１６Ｇは、第２インシュレータ２０に埋没されて第２インシュレータ２０との界面に沿った水の浸入を遮断するためのもので、連結部１６Ｃの周囲を囲って閉じるように連結部１６Ｃの表面に形成された少なくとも１つの溝または突起を有している。ミッドプレート側防水形状部１６Ｇと間隙部１６Ｄは、Ｙ方向において、重複する位置に配置されている。
【００４２】
また、一対の連結部１６Ｃの−Ｙ方向端部には、それぞれ、Ｘ方向の外方へ延びる腕部１６Ｈを介して、ほぼ矩形の平板形状を有する突状部１６Ｊが連結されている。腕部１６Ｈには、連結部１６Ｃのミッドプレート側防水形状部１６Ｇと同様のミッドプレート側防水形状部１６Ｋが形成されている。さらに、突状部１６Ｊの中央に開口部１６Ｌが形成されている。
さらに、リア部１６ＢのＸ方向の両端部には、それぞれ、基板等の接続対象物に接続されるミッドプレート側接続部１６Ｍが形成されている。
【００４３】
図１５に示されるように、このようなミッドプレート１６を挟んで、ミッドプレート１６の＋Ｚ方向側に第１モジュール２６が配置され、ミッドプレート１６の−Ｚ方向側に第２モジュール２７が配置される。このとき、図示しないが、ミッドプレート１６のフロント部１６Ａは、第１モジュール２６の複数の第１コンタクト１３のコンタクト側防水形状部１３Ｄよりも−Ｙ方向側の前部および複数の第２コンタクト１４のコンタクト側防水形状部１４Ｄよりも−Ｙ方向側の前部に対向し、ミッドプレート１６のリア部１６Ｂは、第１モジュール２６の複数の第１コンタクト１３のコンタクト側防水形状部１３Ｄよりも＋Ｙ方向側の後部および複数の第２コンタクト１４のコンタクト側防水形状部１４Ｄよりも＋Ｙ方向側の後部に対向する。また、第１モジュール２６の複数の第１コンタクト１３のコンタクト側防水形状部１３Ｄおよび第２モジュール２７の複数の第２コンタクト１４のコンタクト側防水形状部１４Ｄは、ミッドプレート１６の間隙部１６Ｄに対応する位置に配置される。
【００４４】
第１モジュール２６および第２モジュール２７の間にミッドプレート１６が挟まれた状態で、図１６に示されるように、第１インシュレータ１９が成型される。第１インシュレータ１９の成型により、ミッドプレート１６と第１モジュール２６と第２モジュール２７とが一体化される。
さらに、図１７に示されるように、第１インシュレータ１９のフランジ部２８に、−Ｙ方向側からインナープレート２５が嵌め込まれ、この状態で、図１８に示されるように、第２インシュレータ２０が成型される。第２インシュレータ２０により、内部に相手側コネクタ収容部１２Ｃを有する筒状部１２Ａが形成されると共に、筒状部１２ＡのＸ方向の両端部から突出する一対の固定部１２Ｂが形成される。
【００４５】
図示しないが、固定部１２Ｂにより、ミッドプレート１６の突状部１６Ｊが覆われている。固定部１２Ｂには、Ｚ方向に貫通する貫通孔１２Ｄが形成されており、ミッドプレート１６の突状部１６Ｊの開口部１６Ｌが、固定部１２Ｂの貫通孔１２Ｄに対応している。
また、筒状部１２Ａの−Ｙ方向端部には、相手側コネクタ収容部１２Ｃの−Ｙ方向端部を囲む溝１２Ｅが形成されている。
第２インシュレータ２０の＋Ｙ方向側に突出して露出している第１モジュール２６のインシュレータ２２の＋Ｚ方向側の面上に金属シェル１７を配置すると共に、筒状部１２Ａの−Ｙ方向端部の溝１２Ｅに防水部材１８を装着することにより、図１〜図３に示されるコネクタ１１の製造が完了する。
なお、図２に示されるように、コネクタ１１の＋Ｙ方向端部には、複数の第１コンタクト１３の接続部１３Ｂと、複数の第２コンタクト１４の接続部１４Ｂと、ミッドプレート１６の一対のミッドプレート側接続部１６Ｍと、金属シェル１７の一対の脚部１７Ａが、露出して−Ｚ方向に突出している。
【００４６】
図１９は、接続対象物である基板３１に実装されたコネクタ１１を示す斜視図である。一対の固定部１２Ｂの貫通孔１２Ｄに、それぞれ、図示しない固定ネジを通してコネクタ１１を基板３１に固定することができる。
コネクタ１１の＋Ｙ方向端部から−Ｚ方向に突出している複数の第１コンタクト１３の接続部１３Ｂおよび複数の第２コンタクト１４の接続部１４Ｂが、それぞれ、基板３１の図示しない接続パッドに接続される。また、コネクタ１１の＋Ｙ方向端部から−Ｚ方向に突出しているミッドプレート１６の一対のミッドプレート側接続部１６Ｍおよび金属シェル１７の一対の脚部１７Ａが、基板３１の図示しないグランドラインに接続され、ミッドプレート１６と金属シェル１７とがグランド電位に設定される。
なお、ミッドプレート１６の突状部１６Ｊが固定部１２Ｂの−Ｚ方向側に露出するように、第２インシュレータ２０を成型すれば、図示しない固定ネジを用いてコネクタ１１を基板３１に固定することにより、ミッドプレート１６の突状部１６Ｊを基板３１の図示しないグランドパッドに接続させて、ミッドプレート１６をグランド電位にすることもできる。
【００４７】
図２０に、低速信号伝送用のコンタクトＳ６およびＴ６を通るＹＺ面で切断されたコネクタ１１の側面断面図を示す。ミッドプレート１６から遠ざかるように＋Ｚ方向に向かって屈曲しているコンタクトＳ６の変形部１３Ｇが、第１モジュール２６のインシュレータ２１と第２インシュレータ２０に埋め込まれ、ミッドプレート１６から遠ざかるように−Ｚ方向に向かって屈曲しているコンタクトＴ６の変形部１４Ｇが、第２モジュール２７のインシュレータ２３と第２インシュレータ２０に埋め込まれている。
【００４８】
ここで、低速信号伝送用のコンタクトＳ６の変形部１３Ｇを通るＸＺ面により切断された、複数の第１コンタクト１３を構成する１２本のコンタクトＳ１〜Ｓ１２の切断端面図を図２１に示す。図８を用いて説明したように、低速信号伝送用のコンタクトＳ６の変形部１３Ｇは、高速信号伝送用のコンタクトＳ２の平坦部１３Ｆと同じＹ方向位置にあり、コンタクトＳ２の平坦部１３Ｆよりも＋Ｚ方向に高低差ΔＨ１だけ高く形成されている。また、低速信号伝送用のもう１つのコンタクトＳ７は、コンタクトＳ６と同一の形状を有しており、高速信号伝送用の他のコンタクトＳ３、Ｓ１０およびＳ１１は、コンタクトＳ２と同一の形状を有している。
【００４９】
このため、低速信号伝送用のコンタクトＳ６の変形部１３Ｇを通るＸＺ面において、低速信号伝送用のコンタクトＳ６およびＳ７により構成される第１ペアＳＰ１の中心点ＰＬ１と、高速信号伝送用のコンタクトＳ２およびＳ３により構成される第２ペアＳＰ２の中心点ＰＨ１との間の距離は、これらの中心点ＰＬ１およびＰＨ１のＸ方向に沿った間隔Ｄ１よりも長い距離Ｄ１Ａとなる。すなわち、仮に、低速信号伝送用のコンタクトＳ６およびＳ７が変形部１３Ｇを有することなく、高速信号伝送用のコンタクトＳ２およびＳ３と同じ形状を有している場合には、第１ペアＳＰ１の中心点ＰＬ１と第２ペアＳＰ２の中心点ＰＨ１との間の距離は、Ｘ方向に沿った間隔Ｄ１となるが、実施の形態に係るコネクタ１１においては、低速信号伝送用のコンタクトＳ６およびＳ７が変形部１３Ｇを有するため、部分的に第１ペアＳＰ１の中心点ＰＬ１が第２ペアＳＰ２の中心点ＰＨ１から遠ざかって、これら中心点ＰＬ１およびＰＨ１の間の距離は、より長い距離Ｄ１Ａとなる。
【００５０】
同様に、低速信号伝送用のコンタクトＳ６およびＳ７により構成される第１ペアＳＰ１の中心点ＰＬ１と、高速信号伝送用のコンタクトＳ１０およびＳ１１により構成される第２ペアＳＰ２の中心点ＰＨ１との間の距離も、これらの中心点ＰＬ１およびＰＨ１のＸ方向に沿った間隔Ｄ１よりも長い距離Ｄ１Ａとなる。
その結果、低速信号伝送用の第１ペアＳＰ１のコンタクトＳ６およびＳ７において発生したノイズが、高速信号伝送用の第２ペアＳＰ２のコンタクトＳ２、Ｓ３およびもう１つの第２ペアＳＰ２のコンタクトＳ１０、Ｓ１１に及ぼす影響が抑制され、クロストークの発生が低減される。これにより、特性の優れた信号伝送を行うことが可能となる。
【００５１】
また、低速信号伝送用のコンタクトＴ６の変形部１４Ｇを通るＸＺ面により切断された、複数の第２コンタクト１４を構成する１２本のコンタクトＴ１〜Ｔ１２の切断端面図を図２２に示す。図１１を用いて説明したように、低速信号伝送用のコンタクトＴ６の変形部１４Ｇは、高速信号伝送用のコンタクトＴ２の平坦部１４Ｆと同じＹ方向位置にあり、コンタクトＴ２の平坦部１４Ｆよりも−Ｚ方向に高低差ΔＨ２だけ低く形成されている。また、低速信号伝送用のもう１つのコンタクトＴ７は、コンタクトＴ６と同一の形状を有しており、高速信号伝送用の他のコンタクトＴ３、Ｔ１０およびＴ１１は、コンタクトＴ２と同一の形状を有している。
【００５２】
このため、低速信号伝送用のコンタクトＴ６の変形部１４Ｇを通るＸＺ面において、低速信号伝送用のコンタクトＴ６およびＴ７により構成される第１ペアＴＰ１の中心点ＰＬ２と、高速信号伝送用のコンタクトＴ２およびＴ３により構成される第２ペアＴＰ２の中心点ＰＨ２との間の距離は、これらの中心点ＰＬ２およびＰＨ２のＸ方向に沿った間隔Ｄ２よりも長い距離Ｄ２Ａとなる。すなわち、仮に、低速信号伝送用のコンタクトＴ６およびＴ７が変形部１４Ｇを有することなく、高速信号伝送用のコンタクトＴ２およびＴ３と同じ形状を有している場合には、第１ペアＴＰ１の中心点ＰＬ２と第２ペアＴＰ２の中心点ＰＨ２との間の距離は、Ｘ方向に沿った間隔Ｄ２となるが、実施の形態に係るコネクタ１１においては、低速信号伝送用のコンタクトＴ６およびＴ７が変形部１４Ｇを有するため、部分的に第１ペアＴＰ１の中心点ＰＬ２が第２ペアＴＰ２の中心点ＰＨ２から遠ざかって、これら中心点ＰＬ２およびＰＨ２の間の距離は、より長い距離Ｄ２Ａとなる。
【００５３】
同様に、低速信号伝送用のコンタクトＴ６およびＴ７により構成される第１ペアＴＰ１の中心点ＰＬ２と、高速信号伝送用のコンタクトＴ１０およびＴ１１により構成される第２ペアＴＰ２の中心点ＰＨ２との間の距離も、これらの中心点ＰＬ２およびＰＨ２のＸ方向に沿った間隔Ｄ２よりも長い距離Ｄ２Ａとなる。
その結果、低速信号伝送用の第１ペアＴＰ１のコンタクトＴ６およびＴ７において発生したノイズが、高速信号伝送用の第２ペアＴＰ２のコンタクトＴ２、Ｔ３およびもう１つの第２ペアＴＰ２のコンタクトＴ１０、Ｔ１１に及ぼす影響が抑制され、クロストークの発生が低減される。これにより、特性の優れた信号伝送を行うことが可能となる。
【００５４】
なお、図１４に示されるように、ミッドプレート１６のリア部１６ＢのＸ方向の両端部に一対の突出部１６Ｅが形成され、フロント部１６ＡのＸ方向の両端部に一対の突出部１６Ｆが形成されているが、これらの突出部１６Ｅおよび１６Ｆは、複数の第１コンタクト１３に含まれる高速信号伝送用の２つの第２ペアＳＰ２のコンタクトＳ２、Ｓ３およびコンタクトＳ１０、Ｓ１１に対向すると共に、複数の第２コンタクト１４に含まれる高速信号伝送用の２つの第２ペアＴＰ２のコンタクトＴ２、Ｔ３およびコンタクトＴ１０、Ｔ１１に対向している。一方、複数の第１コンタクト１３に含まれる低速信号伝送用の第１ペアＳＰ１のコンタクトＳ６およびＳ７と複数の第２コンタクト１４に含まれる低速信号伝送用の第１ペアＴＰ１のコンタクトＴ６およびＴ７に対して、突出部１６Ｅおよび１６Ｆは対向していない。
【００５５】
すなわち、低速信号伝送用の第１ペアＳＰ１およびＴＰ１に対向する部分のミッドプレート１６の間隙部１６Ｄは、突出部１６Ｅおよび１６Ｆが存在しないことから、Ｙ方向に沿った長さＧ２を有するのに対し、高速信号伝送用の第２ペアＳＰ２およびＴＰ２に対向する部分のミッドプレート１６の間隙部１６Ｄは、Ｙ方向に沿って、上記の長さＧ２よりも突出部１６Ｅおよび１６Ｆの分だけ短い長さＧ１を有している。
このように、ミッドプレート１６は、高速信号伝送用の第２ペアＳＰ２およびＴＰ２に対して、低速信号伝送用の第１ペアＳＰ１およびＴＰ１よりもＹ方向に長い範囲にわたって対向しており、高速信号伝送用の２つの第２ペアＳＰ２を構成するコンタクトＳ２、Ｓ３、Ｓ１０、Ｓ１１および２つの第２ペアＴＰ２を構成するコンタクトＴ２、Ｔ３、Ｔ１０、Ｔ１１に高速信号を流しても、クロストークを抑制して信頼性の高い伝送を行うことが可能となる。
【００５６】
なお、複数の第１コンタクト１３の接続部１３Ｂと複数の第２コンタクト１４の接続部１４Ｂは、コネクタ１１の＋Ｙ方向端部に露出されるが、複数の第１コンタクト１３にコンタクト側防水形状部１３Ｄが形成され、複数の第２コンタクト１４にコンタクト側防水形状部１４Ｄが形成されているので、コンタクト側防水形状部１３Ｄおよび１４Ｄが第２インシュレータ２０に埋没されることで、第１コンタクト１３および第２コンタクト１４と第２インシュレータ２０との界面に沿った水の浸入が遮断されることとなる。
【００５７】
また、複数の第１コンタクト１３のコンタクト側防水形状部１３Ｄおよび複数の第２コンタクト１４のコンタクト側防水形状部１４Ｄは、ミッドプレート１６の間隙部１６Ｄに対応する位置に配置されているので、ミッドプレート１６に影響を受けることなく、また、コネクタ１１のＺ方向の高さを増大することなく、コンタクト側防水形状部１３Ｄおよび１４Ｄの周囲に、第２インシュレータ２０を構成する樹脂を、十分な厚さで確保することができる。従って、第２インシュレータ２０の成型時に、高い樹脂収縮力を得て、優れた防水性を実現することが可能となる。
特に、コンタクト側防水形状部１３Ｄおよび１４Ｄは、第１コンタクト１３および第２コンタクト１４の周囲を囲って閉じるように第１コンタクト１３および第２コンタクト１４の表面に形成された少なくとも１つの溝または突起を有しているので、効果的に第２インシュレータ２０との界面に沿った水の浸入を遮断することができる。
【００５８】
なお、ミッドプレート１６のミッドプレート側接続部１６Ｍは、コネクタ１１の＋Ｙ方向端部から露出しているが、連結部１６Ｃのミッドプレート側防水形状部１６Ｇが第２インシュレータ２０に埋没されることで、連結部１６Ｃと第２インシュレータ２０との界面に沿った水の浸入が遮断されるように構成されている。
同様に、ミッドプレート１６の一対の腕部１６Ｈにも、それぞれ、ミッドプレート側防水形状部１６Ｋが形成されているので、突状部１６Ｊの少なくとも一部が第２インシュレータ２０の固定部１２Ｂから露出していても、ミッドプレート側防水形状部１６Ｋが第２インシュレータ２０に埋没されることで、腕部１６Ｈと第２インシュレータ２０との界面に沿った水の浸入が遮断されることとなる。
従って、第２インシュレータ２０の相手側コネクタ収容部１２Ｃの内部を通って基板３１側に水が浸入することが防止される。
【００５９】
上記の実施の形態では、複数の第１コンタクト１３において、低速信号伝送用のコンタクトＳ６およびＳ７のコンタクト側防水形状部１３Ｄが変形部１３Ｇとは異なる位置に形成されているが、コンタクト側防水形状部１３Ｄおよび変形部１３Ｇは、ハウジング１２に埋め込まれる保持部１３Ｃに形成されていればよく、変形部１３Ｇにコンタクト側防水形状部１３Ｄを形成することもできる。
同様に、複数の第２コンタクト１４において、低速信号伝送用のコンタクトＴ６およびＴ７のコンタクト側防水形状部１４Ｄが変形部１４Ｇとは異なる位置に形成されているが、コンタクト側防水形状部１４Ｄおよび変形部１４Ｇは、ハウジング１２に埋め込まれる保持部１４Ｃに形成されていればよく、変形部１４Ｇにコンタクト側防水形状部１４Ｄを形成することもできる。
【００６０】
また、上記の実施の形態では、複数の第１コンタクト１３のうち、低速信号伝送用の第１ペアＳＰ１のコンタクトＳ６およびＳ７が変形部１３Ｇを有する一方、高速信号伝送用の２つの第２ペアＳＰ２のコンタクトＳ２、Ｓ３、Ｓ１０およびＳ１１が変形部１３Ｇを有していないが、逆に、高速信号伝送用の２つの第２ペアＳＰ２のコンタクトＳ２、Ｓ３、Ｓ１０およびＳ１１が変形部１３Ｇを有し、低速信号伝送用の第１ペアＳＰ１のコンタクトＳ６およびＳ７が変形部１３Ｇを有しない構成としても、第１ペアＳＰ１と第２ペアＳＰ２との間のクロストークを低減することはできる。
【００６１】
同様に、複数の第２コンタクト１４のうち、低速信号伝送用の第１ペアＴＰ１のコンタクトＴ６およびＴ７が変形部１４Ｇを有する一方、高速信号伝送用の２つの第２ペアＴＰ２のコンタクトＴ２、Ｔ３、Ｔ１０およびＴ１１が変形部１４Ｇを有していないが、逆に、高速信号伝送用の２つの第２ペアＴＰ２のコンタクトＴ２、Ｔ３、Ｔ１０およびＴ１１が変形部１４Ｇを有し、低速信号伝送用の第１ペアＴＰ１のコンタクトＴ６およびＴ７が変形部１４Ｇを有しない構成としても、第１ペアＴＰ１と第２ペアＴＰ２との間のクロストークを低減することはできる。
ただし、変形部１３Ｇおよび１４Ｇの形成により高速信号伝送用の各コンタクトのインピーダンスが変動するおそれがあるため、変形部１３Ｇおよび１４Ｇは、低速信号伝送用の各コンタクトに形成されることが好ましい。
【００６２】
上記の実施の形態では、複数の第１コンタクト１３と複数の第２コンタクト１４が、ミッドプレート１６の両面にそれぞれ対向するように２列に配列されているが、これに限るものではなく、複数のコンタクトが１列に配列されたコネクタにこの発明を適用することもできる。
また、コンタクトの個数は制限されるものではなく、第１ペアのコンタクトおよび第２ペアのコンタクトを含んでいればよい。
なお、防水機能を必要としないコネクタに、この発明を適用する場合には、複数の第１コンタクト１３Ｄのコンタクト側防水形状部１３Ｄ、複数の第２コンタクト１４Ｄのコンタクト側防水形状部１４Ｄ、ミッドプレート１６のミッドプレート側防水形状部１６Ｇおよび１６Ｋ、並びに、防水部材１８をコネクタに配置しなくてもよい。
【符号の説明】
【００６３】
１  ハウジング、２  コンタクト、３  金属シェル、４  接触部、５  実装部、６  固定部、７  折れ曲がり部、１１  コネクタ、１２  ハウジング、１２Ａ  筒状部、１２Ｂ  固定部、１２Ｃ  相手側コネクタ収容部、１２Ｄ  貫通孔、１３  第１コンタクト、１３Ａ，１４Ａ  接触部、１３Ｂ，１４Ｂ  接続部、１３Ｃ，１４Ｃ  保持部、１３Ｄ，１４Ｄ  コンタクト側防水形状部、１３Ｅ，１４Ｅ  段差、１３Ｆ，１４Ｆ  平坦部、１３Ｇ，１４Ｇ  変形部、１４  第２コンタクト、１５  舌状部、１６  ミッドプレート、１６Ａ  フロント部、１６Ｂ  リア部、１６Ｃ  連結部、１６Ｄ  間隙部、１６Ｅ，１６Ｆ  突出部、１６Ｇ，１６Ｋ  ミッドプレート側防水形状部、１６Ｈ  腕部、１６Ｊ  突状部、１６Ｌ  開口部、１６Ｍ  ミッドプレート側接続部、１７  金属シェル、１７Ａ  脚部、１８  防水部材、１９  第１インシュレータ、２０  第２インシュレータ、２１〜２４  インシュレータ、２５  インナープレート、２６  第１モジュール、２７  第２モジュール、２８  フランジ部、２９  底板部、３０  平板部、３１  基板、Ｃ  嵌合軸、Ｇ１，Ｇ２  長さ、Ｓ１〜Ｓ１２，Ｔ１〜Ｔ１２  コンタクト、ＳＰ１，ＴＰ１  第１ペア、ＳＰ２，ＴＰ２  第２ペア、ΔＨ１，ΔＨ２  高低差、ＰＬ１，ＰＬ２，ＰＨ１，ＰＨ２  中心点、Ｄ１，Ｄ２  間隔、Ｄ１Ａ，Ｄ２Ａ  距離、Ｇ  グランドコンタクト、Ｓ  シグナルコンタクト。
【図１】
2020047425.tif 000003
【図２】
2020047425.tif 000004
【図３】
2020047425.tif 000005
【図４】
2020047425.tif 000006
【図５】
2020047425.tif 000007
【図６】
2020047425.tif 000008
【図７】
2020047425.tif 000009
【図８】
2020047425.tif 000010
【図９】
2020047425.tif 000011
【図１０】
2020047425.tif 000012
【図１１】
2020047425.tif 000013
【図１２】
2020047425.tif 000014
【図１３】
2020047425.tif 000015
【図１４】
2020047425.tif 000016
【図１５】
2020047425.tif 000017
【図１６】
2020047425.tif 000018
【図１７】
2020047425.tif 000019
【図１８】
2020047425.tif 000020
【図１９】
2020047425.tif 000021
【図２０】
2020047425.tif 000022
【図２１】
2020047425.tif 000023
【図２２】
2020047425.tif 000024
【図２３】
2020047425.tif 000025
【図２４】
2020047425.tif 000026